(57)【要約】【課題】送風機の作動開始と同時にヒーターに通電したのでは、風量が大きいため、なかなか温度が上昇せず、冷風が出る時間が長くなり、特に冬場など気温が低いときには不快に感じるという問題点があった。【解決手段】人体の一部を検知する吐水センサーと前記吐水センサーの出力に連動して吐水する流量制御手段とを有する給水装置と、気体を送風させる送風機と該送風機と気体を噴出させる噴出口とを連通する連通風路と該連通風路内に配設させた加熱手段とを有する気体供給装置とで構成される手洗い機において、前記吐水センサーの出力若しくは前記流量制御手段の出力に連動して、前記気体供給装置の加熱手段の加熱動作を行うことを特徴とする。【選択図】  図１
2004283447.tif 000002
【特許請求の範囲】
【請求項１】
人体の一部を検知する吐水センサーと前記吐水センサーの出力に連動して吐水する流量制御手段とを有する給水装置と、気体を送風させる送風機と該送風機と気体を噴出させる噴出口とを連通する連通風路と該連通風路内に配設させた加熱手段とを有する気体供給装置とで構成される手洗い機において、前記吐水センサーの出力若しくは前記流量制御手段の出力に連動して、前記気体供給装置の加熱手段の加熱動作を行うことを特徴とする手洗い機。
【請求項２】
請求項１記載の手洗い機において、人体の一部を検知する洗浄剤供給センサーと前記洗浄剤供給センサーの出力に連動して洗浄剤を吐出させる洗浄剤制御手段とを有する洗浄剤吐出装置を有するとともに、前記制御部は前記洗浄剤供給センサーの出力若しくは前記洗浄剤制御手段の出力に連動して、前記加熱手段の加熱動作を行うことを特徴とする手洗い機。
【発明の詳細な説明】
【０００１】
【発明の属する技術分野】
本発明は、手を差し出すと水又は湯を吐水し、使用者が手を洗浄後、手に残った水を高速気流で吹き飛ばして乾燥させる手洗い機に係り、高速気流の噴出し開始と同時に適温まで加熱された気体を噴出すことができ、使用者に好適な使用感を与える制御を行う発明である。
【０００２】
【従来の技術】
従来のこの種の手洗い機は、液受け部内の吐水口の下に手を挿入すると、手が吐水口の下にあることを吐水口検出手段で検出して、制御部にて吐水手段を作動させて吐水させた水または湯により手を洗ってから、気体噴出口の下に手を移動させると、手が気体噴出口の下にあることを気体噴出口検出手段で検出して、制御部にて送風機および加熱手段を作動させて、気体噴出口から加熱された気体を噴出し、手に付着した水を乾燥させていた（例えば特許文献１参照）。
【０００３】
【特許文献１】
特開昭６２−２３３１２４号公報（２．特許請求の範囲）
【０００４】
【発明が解決しようとする課題】
従来の手洗い機では、液受け部内に手があることを検出手段で検出したら送風機の作動開始と同時にヒーターに通電し、温風を噴出すように制御している。
このような送風機の作動開始と同時にヒーターに通電する従来の手洗い機では、ヒーターが手の乾燥に適する温度まで加熱されるには、ヒーターの立ち上がりが遅く、ヒーターに通電してからしばらく時間がかかるため、気体供給装置の送風機の作動により室温と同時温度の送風が噴出された後、時間をおいて温風が噴出するようになっている。
従来の手洗い機では、風量の少ない送風機を使用して、気体噴出口から噴出される低速の温風の熱により手を乾燥するようになっているため、送風機の作動開始と同時でもさほど冷たさを感じないが、本考案のように、ターボファン等の送風機を使用して高圧気体を気体噴出口へ供給し、手についた水を気体噴出口から噴出す約６０ｍ／秒以上の高速気体により吹き飛ばして乾燥させる手洗い機では、送風機の作動開始と同時にヒーターに通電したのでは、風量が大きいため、なかなか温度が上昇せず、冷風が出る時間が長くなり、特に冬場など気温が低いときには不快に感じるという問題点があった。
【０００５】
【課題を解決するための手段】
上記目的を達成するために請求項１の発明は、人体の一部を検知する吐水センサーと前記吐水センサーの出力に連動して吐水する流量制御手段とを有する給水装置と、気体を送風させる送風機と該送風機と気体を噴出させる噴出口とを連通する連通風路と該連通風路内に配設させた加熱手段とを有する気体供給装置とで構成される手洗い機において、前記吐水センサーの出力若しくは前記流量制御手段の出力に連動して、前記気体供給装置の加熱手段の加熱動作を行うことを特徴とする。
【０００６】
これにより、通常は手洗いを行った後に乾燥動作を行うので、手洗い動作にて次の乾燥動作を予測される。これにより加熱手段の予備加熱を行って十分機内の空気を暖めておくことができるので、気体供給装置が手を検知して送風機を駆動すると同時に、気体噴出口から加熱された高速気体を噴出すことが可能となる。
【０００７】
上記目的を達成するために請求項２の発明は、請求項１記載の手洗い機において、人体の一部を検知する洗浄剤供給センサーと前記洗浄剤供給センサーの出力に連動して洗浄剤を吐出させる洗浄剤制御手段とを有する洗浄剤吐出装置を有するとともに、前記制御部は前記洗浄剤供給センサーの出力若しくは前記洗浄剤制御手段の出力に連動して、前記加熱手段の加熱動作を行うことを特徴とする。
【０００８】
これにより、洗浄剤吐出装置を備えた手洗い機では、通常は手洗いを行う前や手洗い中に洗浄剤を手に受けて手洗い動作を行うので、洗浄剤供給動作の後に次の乾燥動作を予測される。これにより吐水動作とより早いタイミングでも、加熱手段の予備加熱を行って十分機内の空気を暖めておくことができるので、気体供給装置が手を検知して送風機を駆動すると同時に、気体噴出口から加熱された高速気体を噴出すことが可能となる。
【０００９】
【発明の実施の形態】
以下、本発明の実施の形態を添付図面に基づいて説明する。
図１は、本発明に係わる手洗い機の全体構成を示す外観斜視図であり、図２は、カウンター９下部の内部空間を示す正面図である。
手洗い機Ａは、カウンター９に、手洗い機本体８を取り付けている。手洗い機本体８の使用者に対面した奥側には、手についた汚れや細菌等を除去するための洗浄剤等を吐出する洗浄剤吐出ノズル部３と、給水装置により水又は温水を供給させる吐水口部４とが配設され、手前側には温風を噴出させる気体噴出口５が配設されており、手洗い機本体８内に手を差し出すことにより、洗浄剤を使用して手についた汚れや細菌等を除去から、手洗い、乾燥までの一連の処理を器具に接触することなく行えるようになっている。
【００１０】
この一連の処理を以下で説明する。
図１に示す手洗い機本体８の洗浄剤吐出ノズル部３の近辺に使用者が手を差し出すと、洗浄剤供給センサー１０が手を検知し、この検知出力を受けて制御部２４は洗浄剤制御手段１２を駆動させて、洗浄剤吐出ノズル部３から、水石鹸などの洗浄剤を一定時間吐出する。洗浄剤吐出手段１２は図示しないが、モーターとギヤポンプから構成され、モーターを一定時間駆動することにより、洗浄剤タンク１４内の洗浄剤を洗浄剤吐出路１８を経由して洗浄剤吐出ノズル部３に供給し、吐出する。
この洗浄剤を摺り込んだ後、使用者が吐水口部４の近辺に手を差し出すと、吐水センサー１１が手を検知し、この検知出力を受けて制御部２４は流量制御手段１６を駆動し吐水する。
本実施例では流量制御手段１６は通電した間だけ弁を開く動作を行う電磁弁を使用している。
手の洗浄を完了した後、使用者が乾燥させようと気体噴出口５の近辺に手を差し出すと、気体噴出口センサー２３が手を検知して、この検知出力を受けて制御部２４は気体供給装置１７を駆動させ、気体供給管２０を経由して気体噴出孔５から高速気体を噴出する。
気体供給装置１７には、図示しないが気体を吸気口から吸気して、吸気した気体を送風させる送風機と、送風機を駆動させるモーターと、温度が上がるほど抵抗が大きくなり、一定温度以上に温度が上がらない安全性に優れたＰＴＣヒーターからなる加熱手段２２が設けられている。加熱手段２２は、制御部２４により通電され、高速気体を加熱する。
気体供給管２０は、一端を気体供給装置１７に他端を気体噴出口５に接続させ、送風機と気体噴出口５とを連通させて連通風路を形成している。
【００１１】
次に、吐水センサー１１の出力若しくは流量制御手段１６の出力に連動して加熱動作を行う場合の制御の流れをフローチャートにより説明する。説明を簡略化するために、吐水センサー１１の出力がＯＮする事により加熱手段２２に通電する場合のフローチャートを図４に示す。流量制御手段１６の出力に連動して加熱手段２２に通電を開始するには、フローチャートの吐水センサーＯＮを流量制御手段ＯＮ又は、流量制御手段開閉終了（吐水完了）の様に置き換えればよい。
吐水センサー１１が手を検知すると、検知情報が制御部２４に伝えられ、制御部２４では加熱手段２２の通電を開始させる。吐水センサー１１が手を検知し且つ加熱手段２２の通電が開始された後、一定時間以内に気体噴出口センサー２３が手を検知すると、加熱手段２２への通電は継続される。
【００１２】
発明者が計測した所、水石鹸などの洗浄剤を手に摺り込むのには約５秒、手を洗うのには約１０秒、手の乾燥には５〜１０秒程度の時間を要したため、本実施例では一定時間を２０秒とした。但し、時間の設定は変更することが可能である。
一方、気体噴出口センサー２３が吐水センサー１１が手を検知した後、一定時間（本実施例では２０秒）以内に手を検知しないと、加熱手段２２への通電を停止させる。
また、加熱手段２２への通電を停止後、気体噴出口センサー２３が手を検知する場合は、制御部２４は気体噴出口センサー２３が手を検知してから加熱手段２２および送風機を作動させる通常の制御をすることになる。
【００１３】
この吐水センサー１１により加熱手段２２に加熱するタイミングチャートを図５および図６に示す。
図５は、吐水センサー１１が手を検知した後、一定時間（本実施例では２０秒）以内に気体噴出口センサー２３が手を検知しない（使用者が手を洗浄後にハンカチなどで手を拭き、手乾燥使用しない）場合を示すタイミングチャートである。
まず、吐水センサー１１で手の検出がＯＮされると、加熱手段２２がＯＮされる。吐水センサー１１により手の検出がＯＮされている間は吐水口部４から水または湯が吐水され、吐水センサー１１による手の検出がＯＦＦされると吐水は停止される。吐水センサー１１により手の検出がＯＮし、加熱手段２２がＯＮされてから一定時間（２０秒）後に気体噴出口センサー２３で手の検出がＯＮされなかった場合は、加熱手段２２がＯＦＦされる。
【００１４】
図６は、吐水センサー１１で手を検知した後、一定時間（本実施例では２０秒）以内に気体噴出口センサー２３が手を検知した場合を示すタイミングチャートである。
まず、吐水センサー１１で手の検出がＯＮされると、加熱手段２２がＯＮされる。吐水センサー１１で手の検出がＯＮされている間は吐水口部４から水または湯が吐水され、吐水センサー１１で手の検出がＯＦＦされると吐水は停止される。吐水センサー１１で手の検出がＯＮし、加熱手段２２がＯＮされてから一定時間（２０秒）内に気体噴出口センサー２３で手の検出がＯＮされた場合は、気体噴出口センサー２３で手の検出がＯＮされている間、送風機および加熱手段がＯＮされる。気体噴出口センサー２３で手の検出がＯＦＦされると送風機および加熱手段がＯＦＦされる。
【００１５】
次に第二の発明の洗浄剤供給センサー１０の出力若しくは洗浄剤制御手段１２の出力に連動して、加熱手段２２の加熱動作を行う実施例について説明する。
フローチャートは請求項一の実施例で説明した図４のフローチャートと同様な流れとなるが、洗浄剤の洗浄剤供給センサー１０の検出により、加熱手段２２へ通電を開始することになる。洗浄剤制御手段１２の出力に連動して加熱手段２２の通電を開始する場合は、フローチャートの洗浄剤供給センサー１０ＯＮを洗浄剤制御手段１２ＯＮ又は、洗浄剤制御手段運転終了（洗浄剤吐出終了）の様に置き換えればよい。
洗浄剤供給センサー１０の近辺に手が差し出されると、洗浄剤供給センサー１０が手を検知し、検知情報が制御部２４に伝えられ、制御部２４では加熱手段２２の通電を開始させる。洗浄剤供給センサー１０が手を検知し且つ加熱手段２２の通電が開始された後、一定時間（本実施例では２０秒）以内に気体噴出口センサー２３が手を検知すると、加熱手段２２への通電は継続させる。一方、気体噴出口センサー２３が洗浄剤供給センサー１１が手を検知した後、一定時間（本実施例では２０秒）以内に手を検知しないと、加熱手段２２への通電を停止させる。
また、一定時間（本実施例では２０秒）内に使用者の手洗浄が終わらず、一定時間（本実施例では２０秒）を超えて気体噴出口センサー２３が働く場合は、制御部２４は気体噴出口センサー２３で手を検出してから、加熱手段２２および送風機を作動させる通常の制御をすることになる。
この場合は、気体噴出口センサー２３が手を検知すると、制御部２４により再び加熱手段２２に通電されるが、加熱手段２２は設定時間通電されているため、既に温まっており、気体噴出口センサー２３の検知とともに気体噴出口５からは適温に加熱された気体が高速で噴出し、手についた水滴を吹き飛ばして乾燥させる。
【００１６】
図７は、洗浄剤供給センサー１０で手を検知した後、一定時間（本実施例では２０秒）以内に気体噴出口センサー２３が手を検知した場合を示すタイミングチャートである。
まず、洗浄剤供給センサー１０で手の検出がＯＮされると、加熱手段２２がＯＮされる。また、一定時間洗浄剤制御手段１２が駆動され、洗浄剤が吐出される。次に、吐水センサー１１で手の検出がＯＮされている間は吐水口から水または湯が吐水され、吐水センサー１１で手の検出がＯＦＦされると吐水は停止される。洗浄剤供給センサー１０で手の検出がＯＮし、加熱手段２２がＯＮされてから一定時間（２０秒）内に気体噴出口センサー２３で手の検出がＯＮされた場合は、気体噴出口センサー２３で手の検出がＯＮされている間、送風機および加熱手段２２がＯＮされる。気体噴出口センサー２３で手の検出がＯＦＦされると送風機および加熱手段２２がＯＦＦされる。
【００１７】
センサーとしては、焦電センサー、超音波センサー、赤外線測距センサーなどが使用される。赤外線測距センサーのように、手までの距離を検知できるものであれば、洗浄剤供給センサー、吐水センサー、噴出口センサーを各々独立して設ける必要はなく、その検知距離のちがいにより、吐水と気体噴出しを行うようにしても良い。
また、前記センサーの他に手洗い機の近くに人がいることを検知して、加熱手段に通電する様に構成しても良い。加熱手段の必要以上の温度上昇を抑えるために、温度センサーを用いて、一定以上に温度が上昇した時には、通電を停止するように制御しても良い。
【００１８】
【図面の簡単な説明】
【図１】本発明の手洗い機の全体構成を示す外観斜視図である。
【図２】本発明の手洗い機のカウンター９下部の内部空間を示す正面図である。
【図３】本発明の手洗い機のブロック図である。
【図４】本発明の手洗い機の加熱手段のフローチャートである。
【図５】本発明の手洗い機のタイミングチャートである。
【図６】本発明の手洗い機のタイミングチャートである。
【図７】本発明の手洗い機のタイミングチャートである。
【符号の説明】
Ａ…手洗い機
１…キャビネット部
２…液受け部
３…洗浄剤吐出ノズル部
４…吐水口部
５…気体噴出口
６…洗浄剤補給口
７…排液口
８…手洗い機本体
９…カウンター
１０…洗浄剤供給センサー
１１…吐水センサー
１２…洗浄剤制御手段
１３…洗浄剤補給手段
１４…洗浄剤タンク
１５…補給路
１６…流量制御手段
１７…気体供給装置
１８…洗浄剤吐出路
１９…水供給路
２０…気体供給管
２１…泡生成用気体供給管
２２…加熱手段
２３…気体噴出口センサー
２４…制御部
【図１】
2004283447.tif 000003
【図２】
2004283447.tif 000004
【図３】
2004283447.tif 000005
【図４】
2004283447.tif 000006
【図５】
2004283447.tif 000007
【図６】
2004283447.tif 000008
【図７】
2004283447.tif 000009